(57)【要約】  【課題】毛髪のカット、セット等理容・美容作業に際して、顧客が装着時に頭部に痛みを感ぜず、短時間に効率よく毛髪をかき分け、毛髪、髪束を所定所望の位置で確実に保持固定を行うことができることが可能なヘアクリップの提供を課題とする。  【解決手段】上側挟持部には開口が形成され、下側挟持部の先端には突起部が形成され、前記下側挟持部に垂設され、前記突起部から立ち上がり、末端方向に連続して形成され、複数の穏やかに上下に変化する変曲点を有して高さが変動し、前記開口を通して上方に突出する髪係止体を備えるヘアクリップを提供する。  【選択図】図１
2017185187.tif 000002
【特許請求の範囲】
【請求項１】
中央部で上方に緩やかに湾曲して長手方向に延びる下側挟持部と下側操作端部とを有する下側挟持舌片と、前記下側挟持部と接触して湾曲する上側挟持部と上側操作端部とを有する上側挟持舌片と、通常時前記上側挟持部と前記下側挟持部を閉じる状態にバネ付勢を行うバネ機構を前記上側操作端部および前記下側操作端部が軸支する部分に配置し、前記上側挟持部には開口が形成されるヘアクリップにおいて、
前記下側挟持部の先端に形成される突出部と、前記下側挟持部に垂設され、前記突出部から立ち上がり、末端方向に連続して形成され、複数の穏やかに上下に変化する変曲点を有して高さが変動し、前記開口を通して上方に突出する髪係止体とを備えるヘアクリップ。
【請求項２】
上昇してから下降する前記変曲点と、前記上昇してから下降する前記変曲点に隣接する二つの変曲点とが成す角度が鋭角である前記変曲点を有する前記髪係止体を備える請求項１記載のヘアクリップ。  
【請求項３】
上昇してから下降する前記変曲点と、前記上昇してから下降する前記変曲点に隣接する二つの変曲点とが成す角度が鈍角である前記変曲点を有する前記髪係止体を備える請求項１記載のヘアクリップ。  
【請求項４】
下降する方向が略鉛直である前記髪係止体を備える請求項１記載のヘアクリップ。
【請求項５】
前記開口は表面側の幅方向の長さが裏面側の幅方向の長さより短く、前記髪係止体は幅方向に上部から下部に広がるよう形成された請求項１乃至請求項４いずれか１項記載のヘアクリップ。
【請求項６】
前記髪係止体の各変曲点に基づく最小二乗法による近似円の円弧の中心点は、前記上側挟持部と前記下側挟持部との開度が１５度から４５度の間で前記上側挟持部の形成する円弧の中心点の近傍に構成される請求項１乃至請求項５いずれか１項記載のヘアクリップ。
【請求項７】
前記上側挟持部の開口より末端側の前記上側挟持部側面に格納部を備えた請求項１乃至請求項６いずれか１項記載のヘアクリップ。
【請求項８】
前記突起部は幅方向に左右に湾曲して形成された湾曲部を有し、前記髪係止体の先端突起部分と一体に形成される請求項１乃至請求項７いずれか１項記載のヘアクリップ。
【請求項９】
前記突出部は通常時前記上側挟持部の先端部分に覆われる請求項１乃至請求項８いずれか１項記載のヘアクリップ。  
【請求項１０】
前記突出部は通常時前記上側挟持部の先端部分から外部に延びる先端を有する請求項１乃至請求項８いずれか１項記載のヘアクリップ。
【発明の詳細な説明】
【技術分野】
【０００１】
本発明は、毛髪を固定保持するヘアクリップに関し、特に理容・美容師等が理容美容施術に際して使用し、毛髪をかき分け、毛髪を所定所望の位置で保持し、固定するためのヘアクリップに関する。
【背景技術】
【０００２】
従来から、理容・美容施術の際、ブロー、カット、パーマ、アップ、カラー、トリートメント等を行う場合には、ヘアクリップを使用し、髪を捉え、毛髪、髪束途中の任意の場所で、髪全体、髪束を毛髪の所望所定の形に保持し、固定して理容、美容の施術を行っている。
【０００３】
しかしながら、従来、単に上下の挟持片にて毛髪をかき分け、挟持しても上下挟持片を軸支する部分にバネ体を有し、一方側でのみ軸支するため、上下の挟持片の全域で均一な挟持力を毛髪に加えることが難しかった。例えばヘアクリップの中央部では毛髪の挟持がうまく行えるが、ヘアクリップの先端等では毛髪の挟持が行い難くかった。毛髪をヘアクリップで固定する際、ヘアクリップの上下挟持片の軸支する部分周辺に厚く髪が溜ってしまい、ヘアクリップの先端に行くに従い上下の挟持片間に隙間が生まれ、ヘアクリップの先端から毛髪が固定されずに落下してしまうことが生じていた。
これは主に、一方側でのみ軸支するため、湾曲する上下の挟持舌片の曲率半径が構造上ほぼ同じで、上下の挟持片が閉じたときのみ両者が大きく接触することに起因していた。
【０００４】
従来ではこれを是正するため、例えば、先行特許文献１、先行特許文献２に示されるように、上側挟持片の先端、中央部分に櫛歯、突起などを植設して先端部分の空間を是正し、毛髪を挟持して美容理容施術を行えるように施した髪留めクリップが示されている。
しかしながら、上側挟持片に櫛歯や突起が付いているので、下側挟持片を毛髪内に装着する際または毛髪内から脱着する際、毛髪を分けるのに髪が引っかかり、髪を引っ張る等の毛髪のつれが生じていた。特に、櫛歯や突起が尖がったものや鋭利なものだとこれらが顕著であった。また、上側挟持片に櫛歯、突起を付けてしまうと顧客の頭皮に上から櫛歯、突起を当ててしまう等により、美容理容施術中に顧客に不快感を与える虞があった。
【０００５】
さらに、上側挟持片に櫛歯、突起を付けているため、顧客に突起等が触れないよう上下側挟持片の開度を大きく一定に保ちながら、下側挟持片を顧客の毛髪内に挿入しなくてはならず、ヘアクリップの装着脱着に理容・美容師等の手先、指先に必要以上の負担を与えていた。特に、手先等に疲れが生じてくると顧客の頭皮に上側挟持片から櫛歯等を当ててしまう虞が高くなっていた。
【０００６】
さらに、理容・美容師等のうち技術の優れたヘアスタイリストと呼ばれる技術者にとっては全体の美容理容施術を考え、次の工程を意識しつつ施術を行い、施術の流れの中で、手際よく短時間で効率的に作業を行う必要が生じている。しかしながら、上側挟持片に櫛歯、突起を付けていると、顧客に突起等が触れないよう上下側挟持片の開度を一定に保ちつつより注意深く挿入脱着を行わなくてならず、これが重なると理容美容施術を効率よくスピーデイに行うことが難しくなり、特に微妙で緻密な作業に通常とは異なる遅滞を生ずる虞がある。  
【０００７】
さらに、先行特許文献３では、上下挟持片の周囲にかみ合い構造の凸凹を設け、より毛髪を固定しやすくしているが、毛髪をヘアクリップで固定する際、ヘアクリップの上下の挟持片の軸支部分に厚く毛髪が溜まり、ヘアクリップの先端に行くに従い隙間が生まれてしまい、ヘアクリップから毛髪が落ちてしまい適確な毛髪の分け、保持固定ができにくかった。
【０００８】
先行特許文献４には、ヘアリテイナー１０の裏面のシャフト５側に複数の突起１０を滑り止めとして形成している。しかし、この突起は上部のリテイナーから外部に突出設けられたものであり、前述先行特許文献と同様に顧客に突起等が触れないよう顧客の毛髪内に挿入しなくてはならず、ヘアクリップの装着脱着に理容・美容師等の手先、指先に必要以上の負担を与えていた他に、ヘアリテイナーの先端部から逃げてきた毛髪を格納することはできなかった。
【０００９】
すなわち、毛髪のカット、パーマ、ブロー、毛染め、スライスなどでは、左右上下に毛髪を分ける際にヘアクリップを使用し、特に、毛髪の長い顧客にはヘアクリップを複数本使用し、多数回、ヘアクリップの毛髪への固定、取り外す作業を繰り返す必要があり、その分、顧客の毛髪へのつれ等が発生する虞を生じていた。理容美容施術を施す際、多数回繰り返しヘアクリップの着脱作業を必要としているため、これらの装着脱着時の顧客の頭皮に対する不快感を是正することが求められていた。また、長時間の作業では、理容師美容師の手先に疲労を与え、微妙な施術にミスを生ずる虞を生じていた。
【００１０】
加えて、毛髪を保持固定するときは、ヘアクリップを毛髪内に挿入する際、髪束を縦横、上下にかき分け、髪束をとる施術すなわちスライスをとることが一般的で、従来では、櫛により髪を梳かす作業が必要なことが多く、櫛もしくは櫛と一体となったブラシの突出棒部で髪をかき分ける作業を行う必要とする場合もあった。つまり、ヘアクリップを使用する前に、一旦、櫛やブラシを用いて、髪を梳き、かき分けることが必要であった。これは、短時間に顧客が満足する髪型、カラーリングを行う高度のテクニックを持つ理容美容師にとっては道具の選択が煩雑で自己のテクニックが生かせない状況があった。さらに、カラーリング等ではヘアクリップによる髪の固定保持を繰りかえす必要があり、煩雑で、時間を要し、顧客にとっても負担が大きかった。
【００１１】
さらに、この頻繁な取り換え脱着作業の際、作業効率の観点からヘアスタイリストは身近にヘアクリップを清潔な状態で多数配置しておかなくてはならず、通常は、ヘアクリップをヘアスタイリストの腰に付けたシザーケース等の作業袋、作業ボックス等に入れて施術を行っている。しかし、上側挟持片の櫛歯、突起等が食い込みあって取れにくく作業が遅滞する虞があった。特に毛染め等の薬剤を使用する際には薬剤の付着等による上側挟持片の櫛歯、突起等の清掃および他の施術器具機材への汚れ等も考慮しなくてはならなかった。
【先行技術文献】
【特許文献】
【００１２】
【特許文献１】特開２０１０−２５２９７９号公報
【特許文献２】意匠登録第１４８００７５号公報
【特許文献３】登録実用新案第３０３３１５９号公報
【特許文献４】特開２００２−２５３３３０号公報
【発明の概要】
【発明が解決しようとする課題】
【００１３】
そこで、本発明は、毛髪のカット、セット等理容美容施術に際して、顧客が装着時に頭部に痛み等の不快感を与えないように、短時間に効率よく毛髪をかき分け、毛髪、髪束を所定所望の位置で確実に保持固定を行うことができ、毛髪を分ける等の美容理容施術の際、毛髪の引っかけ、引っ張り等の毛髪のつれを防止することが可能なヘアクリップの提供を課題とする。
【課題を解決するための手段】
【００１４】
本発明は、上記の課題を解決するために、中央部が上方に緩やかに湾曲して長手方向に延びる下側挟持部と下側操作端部を有する下側挟持舌片と、下側挟持部と接触する部分を有して湾曲して長手方向に開口が形成される上側挟持部と上側操作端部を有する上側挟持舌片と、上側挟持部と下側挟持部を閉じるバネ付勢を行うバネ機構を上側操作端部および下側操作端部を軸支する部分に有するヘアクリップにおいて、下側挟持部の先端部分に形成される突出部と、下側挟持部に突出部に垂設され、末端方向に連続に形成され、複数の穏やかに上下に変化する変曲点を有して高さが変動し、一定の高さに達して開口を通して上方に突出する髪係止体を備えるヘアクリップを構成する。
【００１５】
また、ヘアキャップの下側挟持部の先端部分には突起部が形成され、この突起部は、髪係止体の先端部分に形成された先端突起部分と一体となり、幅方向に左右湾曲して突出する湾曲部を有している。この突起部の形状を毛髪がさらに容易にかき分けることができるようにさらに細長い形状とすることもできる。髪係止体は連続した波状であって、隣接する変曲点と成す角度が鋭角である変曲点を有する髪係止体を備えるヘアクリップを構成することもできる。なお、隣接する変曲点と成す角度が鈍角である変曲点を有する髪係止体を備えるヘアクリップを提供することもできる。
また、下降する方向に隣接する変曲点を結んだ直線が下側挟持舌片を平面に配置したとき鉛直である髪係止体を備えるヘアクリップを構成することもできる。
【００１６】
さらに上側挟持部の開口は幅方向の長さが、表面側すなわち上部より裏面側すなわち下部の方が広い形状で、髪係止体は幅方向に上部から下部に広がるよう形成され、かつ開口の幅方向中央部分に位置するヘアクリップを構成することもできる。また、髪係止体の各変曲点に基づく最小二乗法による近似円の円弧の中心点が上下側挟持部の開度１５度から開度４５度の間のいずれかの開度で上側挟持部の形成する円弧の中心点の近傍に存在する同心度の高いヘアクリップを提供することもできる。
さらに、髪係止体を連続して波状として変曲点間の高さに高低を設け間隙を形成するヘアクリップを提供することもできる。
【００１７】
下側挟持部と接触する部分を有して湾曲して長手方向に開口が形成される上側挟持部の長手方向末端側つまり上側操作端部側に、開口より末端側の側面に格納部を形成して、髪係止体から流れた毛髪を捕捉して格納するように形成したヘアクリップを提供することもできる。
さらに、上側挟持部の格納部作成の際、この部分を直方体で断面四角形の棒状の部材で構成し、これを削った構造とすることもできる。
【発明の効果】
【００１８】
本発明のヘアクリップは、長手方向に延びて中央部で湾曲する下側挟持部に髪係止体が垂設され、上側挟持部に上側挟持部の厚さを超えるような櫛歯等が設けられていないため、上側挟持部と下側挟持部の開度を大きくすることなく下側挟持舌片を毛髪内に挿入することができ、ヘアクリップの髪係止体によって毛髪を所定所望の位置で固定することができる。下側挟持部の先端部分に形成された突出部から一定の高さに達して連続して形成され、複数の穏やかに上下に変化する変曲点を有する髪係止体の高さが変動する構造のため、ヘアクリップの下側挟持舌片を毛髪内に挿入しやすく、ヘアクリップの髪係止体によって毛髪を所定所望の位置で固定することができる。
【００１９】
また、髪係止体が複数の穏やかに上下に変化する変曲点を有して形成され、下側挟持部の末端方向に高さが変動する構造であることにより、ヘアクリップ先端から挿入されてくる毛髪を髪係止体に形成される隙間で捉え毛髪を固定しやすくし、髪係止体が波状で複数の穏やかに上下に変化する変曲点を有することにより、毛髪を分ける際、毛髪の引っかけ、引っ張り等の毛髪のつれを防止することができる。
【００２０】
また、幅方向に湾曲して突出する湾曲部を有し、先端に突出する突出部およびこれと一体となって髪係止体の先端突起部分によって毛髪を左右上下に円滑かつ容易にかき分け取ることすなわちスライスを縦、横、斜めに容易に取ることができる。
さらに、髪係止体によって髪束の毛髪への挿入脱着が容易で、髪係止体によって毛髪を確実に保持固定できるのでヘアクリップの脱落、落下を防止することができる。
【００２１】
また、ヘアクリップを的確に挿入できることより、カラーリング等の理容・美容作業をヘアクリップの着脱回数を少なくして施術でき、作業効率、作業スピードを上げ、髪をかき分けって毛染め、カット、ブロー等を短時間で行うことができ、顧客およびヘアスタイリストの負担を低減させることができる。
【００２２】
上側挟持部の末端側で上側挟持部の側面に格納部を形成して、髪係止体から流れた毛髪を捕捉するようにしているので上側挟持部、下側挟持部の挟持する面を有効に使用することができる。
【００２３】
下側挟持舌片の下側挟持部先端を幅方向に左右に湾曲させ、先端に突出する突出部によって毛髪を左右上下に髪のかき分けに使用できる。即ち、従来、毛筆のかき分けには櫛もしくは櫛に連設されたブラシの髪かき分け用の棒部を別に使用して毛髪のかき分けを行わなくてはならなかったが、ヘアクリップ装着前に毛髪内で装着位置の微調整をヘアクリップの突出部を使用して毛髪のかき分けによって容易に行うことができる。また、髪係止体を下側挟持部に一体として垂設しているので、これを用いてヘアクリップによる毛髪固定の前の髪梳き作業が行うことができる。
【００２４】
さらに、髪係止体が下側挟持部先端のより徐々に末端側へその高さを変動させているため、毛髪が上側操作端部と下側操作端部の軸支される部分に巻き込まれ、毛髪が絡むことを防止することができる。加えて、髪係止体と上側挟持部とがシザーケース等の作業ギア格納かばん内の壁、ケース内等を挟持することによりヘアスタイリストが容易にヘアクリップを脱着することができる。また、複数の穏やかに上下に変化する変曲点を有する髪係止体の高さが変動していく構造のため、髪係止体を容易に洗浄することができ、清潔なヘアクリップを顧客に提供することができる。
【００２５】
さらに、下側挟持部と接触する部分を有して湾曲して長手方向に開口が形成される上側挟持部の末端側側面に格納部を形成しているので、髪係止体から流れた毛髪を捕捉して格納することができる。また、髪係止体、格納部によって毛髪、髪束を容易に捕捉できるので、毛髪等の捕捉、離脱の防止のためにバネの付勢力を弱め、ヘアスタイリストの疲労を削減し、より効率のよい繊細な作業が可能となる。
【図面の簡単な説明】
【００２６】
【図１】本発明の第１実施形態に係るヘアクリップの概略斜視図。
【図２】本発明の第１形態に係るヘアクリップの閉じた状態を表す概略側面図。
【図３】本発明の第１形態に係るヘアクリップのバネ機構を説明するため図２を矢印Ｘの方向から見たヘアクリップの概略後方側面図。
【図４】本発明の第１形態に係る上側挟持舌片の長手方向概略中央断面図。
【図５】本発明の第１形態に係るヘアクリップを開いた状態を表す概略側面図。
【図６】本発明の複数の実施形態のへアクリップの概略平面図。
【図７】本発明の第１形態のへアクリップの概略底面図。
【図８】本発明の第１実施形態のヘアクリップの下側挟持部の構造を説明するため図５を矢印Ａの面で切り、矢印の方向に見た概略切断端面図および他の実施形態の同様の概略切断端面図。
【図９】本発明の第１実施形態のへアクリップの突起部の構造を説明するため図６（ａ）を矢印Ｂの面で切り、突起部周辺を表した概略断面図。
【図１０】本発明の第１実施形態のへアクリップの突起部、髪係止体の構造を説明するため図９を矢印Ｃ１Ｃ１線、Ｃ２Ｃ２線で切り、矢印の方向に見た上下側挟持部の先端部分の幅方向の断面を主に示した概略断面図。
【図１１】本発明の第１実施形態のへアクリップの突起部の構造を説明するため下側挟持舌片１２の突起部１７周辺を表面側から見た下側挟持舌片１２の突起部周辺平面図および他の実施形態の同様の平面図。
【図１２】本発明の第１実施形態のへアクリップの開度と髪係止体の関係を説明する説明図。
【図１３】本発明のへアクリップの髪係止体の第１実施形態および他の実施形態を説明する構造図。
【図１４】本発明のへアクリップの突起部のさらに他の実施形態を説明する図。
【図１５】本発明のへアクリップのさらに他の実施形態を説明する側面図。
【図１６】本発明のへアクリップのさらに他の実施形態を説明する側面図。
【図１７】本発明のへアクリップのさらに他の実施形態を説明する一部拡大側面説明図。
【発明を実施するための形態】
【００２７】
以下、添付の図面を参照し、本発明の実施の形態について、詳細に説明する。
【００２８】
第１の実施形態に係るヘアクリップを説明する。図１は本発明であるヘアクリップの第１実施形態の概略斜視図である。
【００２９】
本発明の第１の実施形態であるヘアクリップは、図１に示す概略斜視図のように上側挟持舌片１１と、下側挟持舌片１２と、バネ機構１３と、髪係止体３０を有して構成される。
【００３０】
図１の本発明の第１実施に係るヘアクリップの概略斜視図および図２の同ヘアクリップの閉じた状態を表す概略側面図を参照して説明すると、上側挟持舌片１１は、長手方向に延び、その中央部で穏やかに湾曲する上側挟持部１１ａ及び上側操作端部１１ｂを有し、上側挟持部１１ａには開口１４が形成されている。上側挟持舌片１１はプラスチック樹脂によって形成され、上側操作端部１１ｂは、上側挟持部１１ａの末端側に上向きに屈曲して形成されている。上側操作端部１１ｂの両側面には、バネ機構１３を格納し、上下側挟持舌片１１、１２を軸２０で軸支するため軸孔１５が穿孔されている。
【００３１】
下側挟持舌片１２は、例えば、アルミニウムによって形成され、上側挟持舌片１１、下側挟持舌片１２が閉じている状態で、図２に示す概略側面図のように下側挟持舌片１２は、上側挟持舌片１１の上側挟持部１１ａに沿って穏やかに上方に湾曲する下側挟持部１２ａを有する。また、下側挟持舌片１２は、末端側に下方向に屈曲して形成される下側操作端部１２ｂを有する。下側操作端部１２ｂには軸受部１８が形成されている。軸受部１８は、下側操作端部１２ｂの側面から上方に鉛直した扇状の片１８ａ、１８ｂにより構成され、これら片１８ａ、１８ｂは、上側操作端部１１ｂの両側面間に挿入される。片１８ａ、１８ｂには、上側操作端部１１ｂの両側面の軸孔１５に対応する位置に孔が穿孔され、軸２０を軸支している。バネ機構１３は、これら上側操作端部１１ｂ、下側操作端部１２ｂ間に形成される。
【００３２】
また、下側操作端部１２ｂの先端部分から末端方向に中央部付近まで、下側挟持部１２ａと一体に髪係止体３０が形成されており、その一部は、開口１４より上側挟持部１１ａから上方に突出している。バネ機構１３は、ねじりコイルバネ２１を有している。
【００３３】
図３は、本発明の第１形態に係るヘアクリップのバネ機構を説明するため図２を矢印Ｘの方向から見たヘアクリップの後方側面図で、バネ機構１３のねじりコイルバネ２１は、上側操作端部１１ｂの両側面に穿孔された軸孔１５、下側操作端部１２ｂの片１８ａ、１８ｂに形成される孔に軸支される軸２０に挿入される。軸２０は、上側操作端部１１ｂの両側面、下側操作端部１２ｂの軸受部１８に軸支されている。このねじりコイルバネ２１の両端部２１ａ、２１ｂは、それぞれ反対方向、弾かれる方向に付勢される。また、コイルバネ２１の両端部２１ａ、２１ｂがそれぞれ上側操作端部１１ｂ、下側操作端部１２ｂと係止する。このため、ねじりコイルバネ２１は、上側操作端部１１ｂを上側に、下側操作端部１２ｂを下側に押圧するように付勢する。
【００３４】
図４の上側挟持舌片の概略長手方向断面側面図に示すように上側挟持部１１ａ及び上側操作端部１１ｂの間にはバネ機構１３のコイルバネ２１の上側挟持部１１ａ側の面を覆うように、障壁１６が形成されている。また、開口１４より末端側には、上側挟持部１１ａの幅方向の断面形状が略「コ」の字を９０度左に回転させた形状に形成されている。
【００３５】
また、図５の本実施の第１形態に係るヘアクリップを開いた状態を表す概略側面図に示すように、下側挟持部１２ａの先端部分から下側挟持部１２ａの中央部分に架けて、髪係止体３０が配置される。そして、下側挟持部１２ａの先端部分には、髪係止体３０と一体に突起部１７が形成されている。この突起部１７は、図２に示すように上側挟持舌片１１、下側挟持舌片１２の先端が閉じた状態で、上側挟持部１１ａの先端部分に覆われ、この図２の概略側面図に示すように側面外部からは視認できない。図４に示す上側挟持部１１ａの先端部分は、下側挟持部１２ａの突出部１７の全部または一部を覆うように形成されている。
【００３６】
図６（ａ）は、本発明の第１の実施形態のへアクリップの概略平面図で、髪係止体３０は、上側挟持部１１ａの開口１４より突出している。図７は、本発明の第１形態のへアクリップの概略底面図で、上側挟持部１１ａの先端部分が下側挟持部１２ａの突出部１７より長手方向に延び、図２に示すように突起部１７は、上側挟持舌片１１、下側挟持舌片１２の先端が閉じた状態で、上側挟持部１１ａの先端部分に覆われている。
【００３７】
図５に示す下側挟持部１２ａは、平板ではなく、強度を維持するため、図８（ａ）に示すように、断面が緩やかな凹字状で幅方向中央部に窪み２２が形成されている。図８（ａ）は、図５の下側挟持部１２ａを矢印Ａで示す線で切った切断部端面図である。
【００３８】
通常時、バネ機構１３のねじりコイルバネ２１により下側挟持舌片１２の下側挟持部１２ａは、上側挟持舌片１１の上側挟持部１１ａと一定の挟持力を持って当接する。これは、図２のようにヘアクリップが閉じた状態である。
また、上側操作端部１１ｂ、下側操作端部１２ｂをヘアスタイリストが指で握り、上側挟持舌片１１の上側挟持部１１ａと下側挟持舌片１２の下側挟持部１２ａとを非接触とする状態は、図５のようにヘアクリップが開いた状態である。
【００３９】
通常、上下側操作端部１１ｂ、１２ｂがバネ２１によって付勢されているため、下側挟持舌片１２の下側挟持部１２ａは、上側挟持舌片１１に沿って上側挟持部１１ａに大部分が当接している。ヘアスタイリストが、上下側操作端部１１ｂ、１２ｂを握ると、バネ機構１３は、圧縮方向に稼働し、上下側挟持部１１ａ、１２ａを開く。ヘアスタイリストがヘアクリップを美容理容施術のため開く場合、その開度は一般的には１５度から４５度の場合が多い。コイルバネ２１の強度によってヘアクリップの毛髪の挟持力は、調整できるが、本実施形態のヘアクリップでは、開度３０度の状態で長手方向の長さが１２ｃｍの上側挟持部１１ａを有しており、上下側挟持部１１ａ、１２ａの先端で１３０ｇから１８０ｇの閉じる方向の圧縮力を有する（バネばかりにて測定）ようバネ機構が調整されている。
【００４０】
なお、本実施形態では、軸２０付近の上側操作端部１１ｂの幅方向の長さは１５ｍｍほどで、上側挟持部１１ａの先端部分の幅方向の長さは８ｍｍほどに製作されている。また、障壁１６は、上側挟持舌片１１の強度向上を主な目的として設けられたもので、毛髪がコイルバネに絡むことを防ぐ役割も有している。
【００４１】
図５に示すように下側挟持部１２ａには、開口１４から突出するように幅方向の中央部の窪み２２から垂設して髪係止体３０が長手方向に連続して形成されている。この髪係止体３０は、本実施形態では下側挟持部１２ａと一体に形成されているが、髪係止体３０を別に製作して下側挟持部１２ａに植立させてもよい。髪係止体３０は、図１、図２、図５に示すように連続した波状の形状で、この実施態様では、下側挟持部１２ａから１０ｍｍほどの高さに設定され、下側挟持部１２ａ先端部分の突起部１７から一体に垂設されている。髪係止体３０は、突出部から立ち上がり、末端方向に連続して形成され、その後徐々にその高さを低下させている。髪係止体３０の各変曲点（高さが高まる方向から低くなる方向またはその逆）は角が取れた円弧状、丸状に穏やかに変化するように形成され、上側から下側に下降し、下側から上側に上昇するように変化する変曲点に間隙が形成されている。
【００４２】
この実施形態に示す図２、図５の髪係止体３０は、下側挟持舌片１２を水平な面に配置したとき、高い方の変曲点から低い方の変曲点へ略鉛直に下降して形成されている。また、髪係止体３０の厚さは上部で１ｍｍほどの厚さで、図６（ａ）に示すヘアクリップの平面図のように開口１４の幅方向の略中央部に位置して突出している。髪係止体３０の一方の側面から開口１４の一方の周囲面までは１ｍｍほどで、開口の一方の周囲面から上側挟持部１１ａの一方の縁面までは２．５ｍｍほどに設定されている。
【００４３】
下側挟持部１２ａの先端部分に形成される突起部１７は、図７に示すヘアクリップの底面図のように幅方向左右に湾曲する湾曲面１７ａ、１７ｂを有する。この実施形態では、下側挟持部１２ａに垂設される髪係止体３０は、図５に示すように突起部１７に一体に形成されている。髪係止体３０は、突出部から立ち上がり、末端方向に連続して垂設されている。
【００４４】
図９は、上下側挟持部１１ａ、１２ａの先端部分の概略側面部分断面図である。より正確に言うと、図６を矢印Ｂの面で切って矢印方向に見る際、上側挟持部１１ａ先端部分および下側挟持部１２ａの突起部１７周囲を断面とする概略側面部分断面図である。髪係止体３０の先端部分は、先端突起部分３０ａを形成しており、この先端突起部分３０ａは、下側挟持部１２ａの突出部１７と一体となって、突出部１７の先端から立ち上がっている。突起部１７の全部または一部は、上側挟持部１１ａの先端部分に覆われ、上側挟持部１１ａ先端部分の裏面と突起部１７の表面、上側挟持部１１ａ先端部分の裏面と髪係止体３０の先端突起部分３０ａが接している。
【００４５】
図１０（ａ）は、図９をＣ１−Ｃ１線で切って、矢印方向に見た上下側挟持部の先端部分の幅方向の断面を主に示した概略断面図、図１０（ｂ）は図９をＣ２−Ｃ２の面で切って、矢印方向に見た先端部分の幅方向の断面を主に示した概略断面図である。開口１４は、幅方向の長さが上部より下部の方が長い形状で、上側挟持部１１ａの開口の存在する部分の幅方向の断面は「ハ」の字状に形成され、開口１４の表面側すなわち高さ方向上部の幅は、開口１４の裏面側すなわち下部の幅より狭く形成されている。また、髪係止体３０は、高さ方向、上部より下部の下側挟持部１２ａに接する部分の幅が広く形成されている。つまり、髪係止体の幅方向断面において、高さ方向上部より下部が幅広く構成されている。また、髪係止体３０の先端突起部分３０ａは、上側挟持部１１ａの先端部分に覆われ、ヘアクリップを閉じた状態のとき上側挟持部１１ａの先端部分と接している。
【００４６】
図１１（ａ）は、図９に示す下側挟持部１２ａの先端部分の平面図であり、下側挟持部１２ａの先端部分に形成される突起部１７と髪係止体３０の先端突起部分３０ａとは、一体として形成されている。突起部１７は、幅方向左右に湾曲する湾曲面１７ａ、１７ｂを有している。破線は、上側挟持部１１ａが下側挟持部１２ａを覆った場合の上側挟持部１１ａと下側挟持部１２ａの長さ関係を示すために仮想的に記載されたもので、上側挟持部１２ａの先端部分を表すものである。上側挟持部１２ａの先端部分は、突出部１７および先端突起部分３０ａを覆うため、長く伸びて形成されている。
なお、図１１（ａ）ではＤ１−Ｄ１線が、図９のＣ１−Ｃ１線の位置に相当し、図１１（ａ）のＤ２−Ｄ２線は、図９のＣ２−Ｃ２線に相当する。
【００４７】
ヘアクリップは、通常時、バネ機構１３のねじりコイルバネ２１の両端部２１ａ、２１ｂはそれぞれ反対方向、弾かれる方向に付勢し、それぞれが係止する上側操作端部１１ｂ、下側操作端部１２ｂを反対方向に押圧して上側操作端部１１ｂを上側に、下側操作端部１２ｂを下側に押圧するよう付勢する。したがって、通常時、図２のように上下側挟持舌片は軸２０に軸支されているため、ヘアクリップは閉じた状態にある。
【００４８】
ヘアスタイリストが上下側操作端部１１ｂ、１２ｂを押圧してヘアクリップを開いた状態にして、開度１５度から４５度の状態で下側挟持舌片１２を顧客の毛髪の所望の位置に挿入し、突起部１７によって毛髪をかき分け、髪全体、もしくは髪束を所定の位置にかき分ける。下側挟持舌片１２を顧客の毛髪の所望の位置に挿入する際、髪係止体３０の先端突起部分３０ａ、幅方向に左右に湾曲して形成された湾曲部１７ａ、１７ｂが毛髪を湾曲面に沿って分離、梳き、かき分けることができるので、毛髪を絡むこと、引っ張ることなく円滑に毛髪に挿入でき、毛髪をかき分け、ヘアクリップを毛髪に挿入し、髪係止体３０で梳くことを行い予定の位置に装着することができる。
【００４９】
そして、上下側操作端部１１ｂ、１２ｂの押圧を解除して、髪係止体３０が開口１４内に突出して毛髪、髪束を保持固定する。このとき、図１０（ａ）のように開口１４が「ハ」の字状の断面開口を有し、髪係止体３０がこれを楔のように閉塞するので、顧客の毛髪、髪束は、髪係止体３０の上部、髪係止体３０の図１０（ａ）に示す左側面と開口１４の左側周面間、髪係止体３０の図１０（ａ）に示す右側面と開口１４の右側周面間で捉えられる。また、下側挟持部１２ａの表面部分と上側挟持部１１ａの裏面部分でも捉えることができる。したがって、下側挟持部１２ａと上側挟持部１１ａ間の挟持力によって確実に毛髪、髪束を髪係止体３０の上部、髪係止体３０と開口１４の間、下側挟持部１２ａと上側挟持部１１ａによって挟むことができ、捉えることができる。
【００５０】
図１２は、本実施の形態の髪係止体の形状を下側挟持舌片の曲率とともに説明する説明図である。上下側挟持舌片の曲率は当初略同様に設計され、配置されている。しかし、ヘアクリップを開いた状態では両舌片の間隔は軸支する部分周辺では狭く、先端部分では大きく開いている。このため、従来ではヘアクリップを開いた状態での両舌片の間隔は均一ではなかった。本実施形態では、図１２に示す髪係止体の各変曲点Ｋ１、Ｋ２、Ｋ３〜を円弧とする最小二乗法による円の半径（曲率半径）が上側挟持部の曲率半径の近傍、つまり±１０％以内となるように構成されている。
【００５１】
そして、主に使用されるヘアクリップの開度３０度の状態で、上側挟持部の円弧が構成する円の中心点Ｏ２と髪係止体の各変曲点を円弧Ｌとする最小二乗法による円の中心点Ｏ３の距離（Ｏ２−Ｏ３距離）は、開度３０度の状態で上側挟持部の円弧が構成する円の中心点Ｏ２と下側挟持部の円弧が構成する円の中心点Ｏ１との距離（Ｏ２−Ｏ１距離）に比べて小さく、開度３０度の状態で上側挟持部の円弧が構成する円の中心点Ｏ２と下側挟持部の円弧が構成する円の中心点Ｏ１との距離（Ｏ２−Ｏ１距離）の±１０％以内である。（これを同心度が１０％以内とよぶ）。
つまり、開度３０度の状態でも同心度を略１０％に保つことができ、この開度３０度の状態でも上側挟持部と下側挟持部の間隔の平行度を実質的に高めることができる。すなわち、髪係止体の各変曲点に基づく最小二乗法による近似円の円弧の中心点Ｏ３が上下側挟持部の開度１５度から開度４５度の間で上側挟持部の形成する円弧の中心点Ｏ２の近傍である同心度が１０％の範囲に形成されている。したがって、同心度の高く、実質的に上側挟持部と下側挟持部の曲率半径が近似するため、付勢するバネの力を強化しなくても毛髪、髪束を捕捉することが容易となるヘアクリップの提供が可能となる。
【００５２】
この図１２に示した本実施の形態では、髪係止体が連続して複数の穏やかに上下に変化する変曲点を有して上側挟持部の末端方向に徐々に高さが低下する波状に形成され、変曲点Ｋ２からＫ３、変曲点Ｋ４からＫ５、変曲点Ｋ６からＫ７、変曲点Ｋ８からＫ９、変曲点Ｋ１０からＫ１１、変曲点Ｋ１２からＫ１３、変曲点Ｋ１４から下側挟持部へは鉛直に高さを下降させている。そして、形状を連続して波状としているため、変曲点Ｋ３、Ｋ５、Ｋ７、Ｋ９、Ｋ１１、Ｋ１３に間隙を形成している。
本実施の形態では、下側挟持舌片の下側挟持部に配置される髪係止体の各変曲点の形成する円弧の曲率半径は、上側挟持部の曲率半径の±１０％以内に構成されている。
【００５３】
図１３は、図１３（ａ）（ｂ）（ｃ）（ｄ）それぞれが髪係止体の本実施の他の実施形態を表すもので、髪係止体を側面から見た構造図である。いずれも長手方向に連続した波状の形状であり、下側挟持部から垂設して連続して形成され、上側から下側から下降し、下側から上側に上昇するように変化する変曲点に間隙を形成されている。図１３（ａ）に示す髪係止体は、隣接する変曲点間の角度が鈍角で、例えば変曲点Ｋ２が変曲点Ｋ１、Ｋ３と作る角度は鈍角である。つまり、上昇してから下降する変曲点Ｋ２に隣接する二つの変曲点Ｋ１、Ｋ３と、上昇してから下降する変曲点Ｋ２が成す角度が鈍角である。図１３（ｂ）は隣接する変曲点間の角度が鋭角で、例えば変曲点Ｋ２が変曲点Ｋ１、Ｋ３と作る角度は鋭角である。つまり、上昇してから下降する変曲点Ｋ２に隣接する二つの変曲点Ｋ１、Ｋ３と、上昇してから下降する変曲点Ｋ２が成す角度が鋭角である。また、図１３（ｃ）は、変曲点Ｋ１から立ち上がった後、変曲点Ｋ２からなだらにＫ３に向け、下降す例を示している。図１３（ｄ）は、変曲点Ｋ１からなだらかに立ち上がった後、変曲点Ｋ２に達し、その後なだらに変曲点Ｋ３に向け、下降する波状の形状を変曲点Ｋ３から変曲点Ｋ５、変曲点Ｋ５から変曲点Ｋ７まで略相似形で有する例を示している。
なお、図１３（ａ）（ｂ）共に、三つの山ごとに相似形で小さく構成されている。すなわち、図１３（ａ）（ｂ）において、変曲点Ｋ２乃至Ｋ７と相似形で小さな波状の形状が末端側に形成されている。
【００５４】
図１３（ａ）に示す髪係止体では、髪係止体の広域で毛髪を捉えることができ、より均一な挟持力で押圧することができる。また、図１３（ｂ）に示す髪係止体では間隙に返しがついており、装着時に末端から押されてきた髪束をしっかりと固定することが出る。さらに、図１３（ｃ）に示す髪係止体は、よりなだらかな形状となっているで、スライスを取るとき毛髪のつれを防止することができる。図１３（ｄ）に示す髪係止体は、よりなだらかで同様な形状となっているで、均等に力をかけることができる。
【００５５】
また、髪係止体のさらに他の実施形態として、１０（ａ）における髪係止体３０より髪係止体の幅方向の長さを広く形成することもできる。例えば、髪係止体３０の高さ方向上部より下部の下側挟持部１２ａに接する部分の幅をさらに広く形成し、髪係止体の幅方向断面において、上部より下部の幅をさらに長く構成することもできる。この場合、開口１４は、図１０（ａ）に示すより、上側挟持部１１ａの開口１４の幅方向の長さが、開口１４の表面側より裏面側の方がより長くなる。いわば、上側挟持部１１ａの開口の存在する部分の幅方向の断面は「ハ」の字のそれぞれの線がさらに内側に寝た感じの字状に形成される。
【００５６】
図１１（ｂ）は、上側挟持部の突出部の形状をより鋭利とした本発明の他の実施形態を説明するものであり、突出部１７１全体が図１１（ａ）と同様に上側挟持部で覆われる。すなわち、湾曲部１７１ａ、１７１ｂが図１１（ａ）の湾曲部１７ａ、１７ｂより長手方向下側操作端１２ｂ側に形成されており、突出部の先端が鋭利な形状となっている。このため、突出部の先端で毛髪をかき分けることがより容易となる。破線は、上側挟持部１１ａが下側挟持部１２ａを覆った場合の上側挟持部１１ａと下側挟持部１２ａの長さ関係を示すために仮想的に描かれたもので、上側挟持部１２ａの先端部分を表すものである。
【００５７】
図１４（ａ）は、本発明のへアクリップの突起部のさらに他の実施形態を説明する概略断面図で、突出部１７２がその先端１７２ｄを上側挟持部１１ａの先端より外部へ突出させた形態で構成されている。図１４（ｂ）は、この本発明のへアクリップの突起部のさらに他の実施形態を説明する概略平面図で、この突出部１７２を有する下側挟持部１２ａの平面図である。湾曲部１７２ａ、１７２ｂから先端１７２ｄが上側挟持部１１ａの先端より外部へ突出している。この実施態様では、毛髪のかき分けをさらに容易に行うことができ、また、図９の実施態様と同様に下側挟持舌片１２を顧客の毛髪の所望の位置に挿入する際、髪係止体の先端突起部分３０ａ、突出部１７２の幅方向に左右に湾曲して形成された湾曲部１７２ａ、１７２ｂが毛髪を先端突起、湾曲面に沿って分離、梳き、かき分けることができるので、毛髪を絡むこと、引っ張ることなく円滑に毛髪をかき分け、ヘアクリップを挿入することができる。破線は、上側挟持部１１ａが下側挟持部１２ａを覆った場合の上側挟持部１１ａと下側挟持部１２ａの長さ関係を示すために、仮想的に描かれたもので上側挟持部１２ａの先端部分を表すものである。
【００５８】
スタイリストがヘアクリップを使用する際、上下側操作端部１１ｂ、１２ｂを押圧してバネの付勢力を弱めと、下側挟持部１２ａを毛髪、髪束内に挿入して、上下側操作端部１１ｂ、１２ｂの押圧を緩め、バネの付勢力を復元すると、髪係止体３０が開口１４内に突出して毛髪、髪束を保持固定する。このとき、開口１４が「ハ」の字状の断面開口を有し、髪係止体３０がこれを楔のように閉塞するので、顧客の毛髪、髪束は、髪係止体３０の上部、髪係止体３０の一方側面と開口１４の一方周面間、髪係止体３０の他方側面と開口１４の他方周面間、上側挟持部１１ａの裏面と下側挟持部１２ａの表面で捉えることができる。
【００５９】
なお、本実施形態では、下側挟持部１２ａの断面形状を図８（ａ）のように緩やかに凹の字状で窪みを形成したが、本発明の他の実施形態では図８（ｂ）のように下側挟持部１２ａ２の断面を緩やかな凸の字状に形成してもよい。この場合、上側挟持部１１ａの裏面と下側挟持部１２ａ２の表面とで毛髪を掴むことが容易となる。図８（ａ）の場合、毛髪と下側挟持部１２ａとはどちらかといえば下側挟持部１２ａの外周縁部分の押圧力により固定保持されるが、図８（ｂ）の場合には、毛髪と下側挟持部１２ａ２とはどちらかといえば上側挟持部１１ａの裏面と下側挟持部１２ａ２の表面との押圧力により固定保持される。
【００６０】
図１５、図１６は、さらに他の実施形態を説明する図で、上側挟持舌片に毛髪を格納する格納部を設けた例を説明する図である。図１５は、本発明の他の実施形態に係るヘアクリップの閉じた状態を表す概略側面図で、図１６は本発明のさらに他の実施形態に係るヘアクリップの閉じた状態を表す概略側面図である。髪係止体３０によって、押し出され一部の毛髪が上側、下側挟持舌片の両側操作端部方向に逃げてきた際、この毛髪を保持し、毛髪の格納するため、へアクリップの保持固定力をより向上させるように施された格納部を設けたものである。
【００６１】
図１５に示すヘアクリップにおいて、格納部４０は、開口より長手方向末端側に、上側挟持舌片１１の上側挟持部１１ａの両側面に形成されており、上側挟持部１１ａの裏面から徐々に上側に削られ、上側挟持部１１ａの厚さの略半分ほどで下側に削られた歯を歯４０−１から４０−ｎまで複数形成したものである。図１６に示すヘアクリップにおいて、格納部４１は、上側挟持舌片１１の上側挟持部１１ａの両側面に形成されており、上側挟持部１１ａの裏面から上側挟持部１１ａの厚さの略半分ほどまで削り、その後、徐々に下側に削られ歯を歯４１−１から４１−ｎまで複数形成したものである。これら外枠の曲線の交点は、円弧もしくは丸状に形成されている。
【００６２】
さらにこれら格納部４０、４１を設ける場合には上側挟持部の構造を変えることもできる。
図４の上側挟持舌片の上側挟持部１１ａは、上側挟持部１１ａの開口１４より後部は幅方向の断面が略「コ」の字を９０度左に回転させた形状に形成されている。しかし、格納部を設ける場合には、上側挟持部１１ａの開口１４より上側操作端部１１ｂまでの部分を断面四角形の直方体の棒とすることもできる。そして、開口１４より上側操作端部側に上側挟持部１１ａの裏面から徐々に表面上側に削り、上側挟持部１１ａの厚さの略半分ほどで下側に一挙に削られた歯４１−１から４１−ｎを複数形成することも可能である。いずれの加工によって製作された格納部４０、４１でも髪係止体によって押し出された一部の毛髪を格納し掴み取り、ヘアクリップの保持固定力をより向上させている。
【００６３】
さらに図１５に示す実施態様の格納部４０において、上側挟持部１１の先端に近い４０−１は大きさが小さく、相似形に徐々に大きくして上側操作端１１ｂに近い４０−ｎが一番大きく歯を構成してもよい。さらに逆に４０−１が一番大きく、４０−ｎが小さくなるように構成してもよい。これは図１６に示す実施態様の格納部４１においても同様である。また、格納部４０、４１の各頂点は鋭利ではなく円形、丸状に構成してもよい。
【００６４】
図１７は格納部を示す一部拡大側面図で、左上から右下に直線ｌ１、ｌ２、ｌ３、ｌ４がそれぞれ平行に定められ、この各直線の左側に形成された円弧にしたがって格納部を形成する外枠が設けられる。また直線ｌよりも右側に、さらに左側に倒れた感じで直線ｍが、各々平行に直線ｍ１、ｍ２、ｍ３、ｍ４として設けられている。これら各直線ｍの左側に形成された円弧に従って格納部の外枠が形成される。これら外枠の曲線の交点は、顧客の不快感を除くため、円弧もしくは丸状に形成されている。
さらに格納部を上側挟持部の側面に形成するため、強度維持の観点から、格納部が存在する部分の上側挟持部の側面上部に長手方向に棒材を挿入して上側挟持部の材料であるプラスチックでモールドしてもよい。棒材としてアルミニウム等の金属を使用することができ、強化された他のプラスチック樹脂を使用してもよい。
【００６５】
また、先行特許文献に示すように櫛歯が細かい複雑な構造だと理容美容施術中に毛染め等の薬剤がその隙間に入ってしまい、ヘアクリップを洗うとき薬剤が残りやすいが、髪係止体が一定の高さに達し、複数の穏やかに上下に変化する変曲点を有して下側挟持部の末端方向に連続して形成され、高さが変動する構造のため、清掃しやすく衛生的なクリップを提供することができる。さらに、ヘアクリップで髪を止める時、ヘアクリップが軸支している部分の方から閉じていくが、本実施の態様では、先端側に徐々に高い構造で、かつ間隙の部分の返しが付いていることより、毛髪、髪束が先端に逃げにくくなり、しっかりと髪係止体が毛髪、髪束を保持固定することができる。そして、仮に毛髪、髪束が逃げたとしても長手方向末端側に逃げた毛髪、髪束は格納部で捕獲することができる。
【００６６】
さらに、相似形の波状の形状で連続して髪係止体が構成されている場合には、さらに先端側に毛髪が逃げにくくなる。また、髪係止体が波状の形状で連続して形成されるため、この髪係止体を用いて、綺麗に毛髪を分けることができる。さらに、下側挟持部に髪係止体を垂設しているため、長時間理容美容施術を行っても、顧客の頭皮に櫛歯、突起を当接させることを回避でき、なだらかな髪係止体により毛髪のつれを防ぐことができる。
【００６７】
さらに、本実施の実施態様では下側挟持部１２ａの突起部１７が顧客の毛髪を左右上下にかき分けるので、スライスすなわちとり分けを綺麗に容易に行うことができる。また、上下側挟持部の先端部分においても髪係止体が毛髪を間隙で挟み、先端に空間が生じることを防止できる。髪係止体を波状にして先端から末端へ徐々に高低差を付け、髪係止体の全体の面で毛髪を捉えようとしているため、毛髪を挟持する力をできるだけ上下側挟持部間で均一化することができる。
さらに、同心度が高く、実質的に上側挟持部と下側挟持部の曲率半径が近似するため、毛髪、髪束を捕捉する際に上側挟持部と下側挟持部の間隔が均一化でき、毛髪を捉えることが容易となるため、付勢するバネの力を強化しなくても容易に毛髪等を保持固定することができ、長時間の作業の際、ヘアスタイリストに与える疲労を削減することができる。
【００６８】
下側挟持部より髪係止体を垂設させ、また、髪係止体が変曲点を丸い形状とし波状に形成しているため、毛髪内に下側挟持部を挿入して毛髪を分ける際、髪係止体を用いて髪束を梳くことつまり左右上下に毛髪をコーミングすることができ、毛髪を分けることが効率よく容易となる。すなわち、スライスを取る際、上下左右の髪束、毛髪をコーミングすることができヘアクリップを止めやすくすることができる。
髪係止体の高さは自由に選択できるもので、髪束を梳くことつまり左右上下に毛髪をコーミングすることができ、毛髪を分けることできれば自由に必要に応じて変化できるものである。さらに、髪係止体を連続して波状として変曲点間の高さに高低を設け間隙を形成しているので、一旦、突起部を頭髪内に挿入後、毛髪内に下側挟持舌片全体が入り良くなり、変曲点間の高さに高低を設けて間隙を形成しているので捉えた毛髪が抜けにくくなる。
【００６９】
さらに、下側挟持舌片１２を顧客の毛髪の所望の位置に挿入して髪を分けるすなわちスライスを取る際、髪係止体３０の先端突起部分３０ａ、幅方向湾曲して形成された湾曲部１７ａ、１７ｂが毛髪に絡むこと、引っ張ることなく円滑に毛髪をかき分け、下側挟持舌片１２を挿入することができる。これは、湾曲部で髪を幅方向左右に逃げさせ、先端突起部分と突起部裏側によって髪を上下に逃げさせることができるためである。このため、カラーリング、パーマ等の薬剤が付いて髪束が集結して固着し分離しにくい状態、いわゆる重い毛髪でも円滑に下側挟持舌片が毛髪内に入りスライスを容易に取ることができる。
【００７０】
また、湾曲部１７２ａ、１７２ｂから先端１７２ｄが上側挟持部１１ａの先端より外部へ突出している実施態様では、毛髪のかき分けをさらに容易に行うことができ、下側挟持舌片１２を顧客の毛髪の所望の位置に挿入する際、髪係止体の先端突起３０ａ、幅方向に左右に湾曲して形成された湾曲部１７２ａ、１７２ｂが毛髪を湾曲面に沿って分離、梳き、かき分けることができるので、毛髪を絡むこと、引っ張ることなく円滑に毛髪をかき分け、ヘアクリップを挿入することができる。
【００７１】
加えて、髪係止体と上側挟持部とがヘアスタイリストがシザーケース等の作業ギア格納かばん内の壁、ケース等に挟持することによりヘアスタイリストが容易にヘアクリップを取り出し、格納することができる。ケース内に上側挟持部１１ａが歯、突起のない状態で挿入され、ケース外部から下側挟持部１２ａの髪係止体３０がケースの壁を介して押圧するので容易にヘアクリップを取り出し、格納することができる。
【００７２】
なお、図３に示す障壁１６は、なにも上側操作端部１１ｂに設ける必要はなく、下側操作端部１２ｂより障壁を立ち上がらせて形成し、上側挟持舌片の強度を向上させ、コイルバネに毛髪が巻き込まれることを防いでもよい。
また、上側挟持舌片１１の上側挟持部１１ａの裏面側に開口１４の周囲に沿って小さな突起を複数略等間隔で配置してもよい。この場合、上側挟持部１１ａと下側挟持部１２ａとはこの突起を介して一部が沿って当接することとなる。この突起は、上下側挟持部１１ａ１２ａで髪束等を保持固定する作用に供せられる。下側挟持舌片１２の下側挟持部１２ａの表面側に同様の小さな突起を形成しても同様の効果を得ることができる。
なお、バネ機構はねじれコイルバネを使用したが、他のバネを使用してもよい。上下側挟持舌片の材質は、毛髪を挟持できるものであれば自由に選ぶことができる。図１、図２、図５では髪係止体を下側挟持部の半分程度の位置まで形成したが、これは下側挟持部全域に形成してもよい。また、髪係止体は開口を通して開口より突出しているが、上側挟持舌片の表面側と同じ程度の高さとなるように構成してもよい。
さらに、開口は、上側挟持部の広い領域に形成してもよいし、図６（ｂ）に示す開口１４１のように髪係止体の存在する部分であれば、上側挟持部の一部分であってもよい。少なくとも髪係止体が上側挟持部から突出することを邪魔することがあってはならず、髪係止体３０が存在しないところには開口１４を形成しないこともできる。例えば、図６（ｃ）に示す開口１４２、１４３、１４４のように、髪係止体を突出させる必要がある部分のみ上側挟持部に開口を設けることも可能である。
【００７３】
さらに、上側挟持舌片、下側挟持舌片の形状、厚さ、長さ等を図１、図２、図４、図１２等に表しているが、これは個々に実施の態様であって、各図に示された以外の形状、厚さ、長さ等としても本発明の要旨を逸脱しない範囲で自由に構成することはもちろんである。下側挟持舌片の突起部は、上側挟持舌片が閉じた状態で、上側挟持部の先端部分に覆われていなくてもよい。すなわち突起部の先端が上側挟持舌片の先端部分より突出していて、上側挟持舌片に覆われていなくてもよい。なお、上側挟持舌片が突起部分を覆っている方が上側挟持舌片の先端部分の強度を強化する構造となる。
【００７４】
さらに、突起部１７は、幅方向に左右に湾曲して形成された湾曲部１７ａ、１７ｂを有しているが、これらの形状は図７、図９、図１１の形状に拘束されるものではなく、鋭利な構造としてもよいし、半円棒状としてもよく、要は、毛髪を湾曲面に沿って分離、梳き、かき分けることができる構造であればよい。
【００７５】
なお、上側挟持舌片１１はプラスチック樹脂する例を示したが、ポリプロピレン、ポリスチレン、アクリル樹脂、ポリカーボンなどであってももちろんよく、また、なにもプラスチック樹脂に限らず、軽くて成型が容易な金属であってもよい。また、下側挟持舌片１２は、アルミニウムによって形成される例を示したがなにもアルミニウムに限らず、プラスチック樹脂でもよく、また、別の軽くて成型が容易な金属であってもよい。
【００７６】
また、以上の実施の形態に示した構成は、例として提示したものであり、発明の範囲を限定することは意図していない。これらは、本発明の構成の一例であり、別の公知の技術と組み合わせることも可能であるし、本発明の要旨を逸脱しない範囲で、一部を省略して構成してもよいことは言うまでもない。すなわち、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。つまり、上記のように本発明の一実施形態について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００７７】
例えば、明細書又は図面において、少なくとも一度、より広義又は同義な異なる用語と共に記載された用語は、明細書又は図面のいかなる箇所においても、その異なる用語に置き換えることができる。また、ヘアクリップ、髪係止体、格納部の構成、動作も本発明の一実施形態で説明したものに限定されず、種々の変形実施が可能である。
【産業上の利用可能性】
【００７８】
本発明に係るヘアクリップは、理容・美容施術に際して、顧客が装着時に頭部に痛み等の不快感を感ぜず、短時間に効率よく毛髪をかき分け、毛髪、髪束を所定所望の位置で確実に保持固定を行うことができ、ヘアクリップからの毛髪の落下を防止し、作業効率の向上から顧客の拘束時間を低減し、ヘアスタイリストの煩雑作業の解消することに寄与し、顧客、理容院、美容院に多大な貢献をもたらす。
【符号の説明】
【００７９】
１１        上側挟持舌片
１１ａ      上側挟持部
１１ｂ      上側操作端部
１２        下側挟持舌片
１２ａ      下側挟持部
１２ｂ      下側操作端部
１３        バネ機構
１４        開口
１５        軸孔
１７        突起部
１８        軸受部
２０        軸
２１        ねじりコイルバネ
３０        髪係止体
４０        格納部
【図１】
2017185187.tif 000003
【図２】
2017185187.tif 000004
【図３】
2017185187.tif 000005
【図４】
2017185187.tif 000006
【図５】
2017185187.tif 000007
【図６】
2017185187.tif 000008
【図７】
2017185187.tif 000009
【図８】
2017185187.tif 000010
【図９】
2017185187.tif 000011
【図１０】
2017185187.tif 000012
【図１１】
2017185187.tif 000013
【図１２】
2017185187.tif 000014
【図１３】
2017185187.tif 000015
【図１４】
2017185187.tif 000016
【図１５】
2017185187.tif 000017
【図１６】
2017185187.tif 000018
【図１７】
2017185187.tif 000019
【手続補正書】
【提出日】平成28年12月11日(2016.12.11)
【手続補正１】
【補正対象書類名】特許請求の範囲
【補正対象項目名】全文
【補正方法】変更
【補正の内容】
【特許請求の範囲】
【請求項１】
中央部で上方に緩やかに湾曲して長手方向に延びる下側挟持部と下側操作端部とを有する下側挟持舌片と、前記下側挟持部と接触して湾曲する上側挟持部と上側操作端部とを有する上側挟持舌片とを備え、通常時前記上側挟持部と前記下側挟持部を閉じる状態にバネ付勢を行うバネ機構を前記上側操作端部および前記下側操作端部が軸支する部分に配置し、前記上側挟持部には開口が形成されるヘアクリップにおいて、
前記開口は前記上側挟持部表面側の幅方向の長さがその裏面側の幅方向の長さより短く形成され、
前記下側挟持部の先端に形成される突起部と、
前記下側挟持部に垂設され、前記突起部から立ち上がり、末端方向に連続して形成され、複数の穏やかに上下に変化する変曲点を有して高さが変動し、幅方向に上部から下部に広がるよう形成され、前記開口を通して上方に突出して配置される髪係止体とを備えるヘアクリップ。
【請求項２】
上昇してから下降する前記変曲点と、前記上昇してから下降する前記変曲点に隣接する二つの変曲点とが成す角度が鋭角である前記変曲点を有する前記髪係止体を備える請求項１記載のヘアクリップ。  
【請求項３】
上昇してから下降する前記変曲点と、前記上昇してから下降する前記変曲点に隣接する二つの変曲点とが成す角度が鈍角である前記変曲点を有する前記髪係止体を備える請求項１記載のヘアクリップ。  
【請求項４】
前記変曲点から略鉛直に下降する前記髪係止体を備える請求項１記載のヘアクリップ。
【請求項５】
前記髪係止体の各変曲点に基づく最小二乗法による近似円の円弧の中心点は、前記上側挟持部と前記下側挟持部との開度が１５度から４５度の間で前記上側挟持部の形成する円弧の中心点の近傍に構成される請求項１乃至請求項４いずれか１項記載のヘアクリップ。
【請求項６】
前記上側挟持部の開口より末端側の前記上側挟持部側面に格納部を備えた請求項１乃至請求項５いずれか１項記載のヘアクリップ。
【請求項７】
前記突起部は幅方向に左右に湾曲して形成された湾曲部を有し、前記髪係止体の先端突起部分と一体に形成される請求項１乃至請求項６いずれか１項記載のヘアクリップ。
【請求項８】
前記突起部は通常時前記上側挟持部の先端部分に覆われる請求項１乃至請求項７いずれか１項記載のヘアクリップ。  
【請求項９】
前記突起部は通常時前記上側挟持部の先端部分から外部に延びる先端を有する請求項１乃至請求項７いずれか１項記載のヘアクリップ。
【請求項１０】
前記開口は前記髪係止体の前記上側挟持部から突出する部分を通すよう前記上側挟持部に形成される請求項１乃至請求項９いずれか１項記載のヘアクリップ。
【手続補正２】
【補正対象書類名】明細書
【補正対象項目名】００１４
【補正方法】変更
【補正の内容】
【００１４】
本発明は、上記の課題を解決するために、中央部が上方に緩やかに湾曲して長手方向に延びる下側挟持部と下側操作端部を有する下側挟持舌片と、下側挟持部と接触する部分を有して湾曲して長手方向に開口が形成される上側挟持部と上側操作端部を有する上側挟持舌片とを備え、上側挟持部と下側挟持部を閉じるバネ付勢を行うバネ機構を上側操作端部および下側操作端部を軸支する部分に有するヘアクリップにおいて、下側挟持部の先端部分に形成される突起部と、下側挟持部に突起部に垂設され、末端方向に連続に形成され、複数の穏やかに上下に変化する変曲点を有して高さが変動し、一定の高さに達して開口を通して上方に突出する髪係止体を備えるヘアクリップを構成する。
【手続補正３】
【補正対象書類名】明細書
【補正対象項目名】００１８
【補正方法】変更
【補正の内容】
【００１８】
本発明のヘアクリップは、長手方向に延びて中央部で湾曲する下側挟持部に髪係止体が垂設され、上側挟持部に上側挟持部の厚さを超えるような櫛歯等が設けられていないため、上側挟持部と下側挟持部の開度を大きくすることなく下側挟持舌片を毛髪内に挿入することができ、ヘアクリップの髪係止体によって毛髪を所定所望の位置で固定することができる。下側挟持部の先端部分に形成された突起部から一定の高さに達して連続して形成され、複数の穏やかに上下に変化する変曲点を有する髪係止体の高さが変動する構造のため、ヘアクリップの下側挟持舌片を毛髪内に挿入しやすく、ヘアクリップの髪係止体によって毛髪を所定所望の位置で固定することができる。
【手続補正４】
【補正対象書類名】明細書
【補正対象項目名】００２０
【補正方法】変更
【補正の内容】
【００２０】
また、幅方向に湾曲して突出する湾曲部を有し、先端に突出する突起部およびこれと一体となって髪係止体の先端突起部分によって毛髪を左右上下に円滑かつ容易にかき分け取ることすなわちスライスを縦、横、斜めに容易に取ることができる。
さらに、髪係止体によって髪束の毛髪への挿入脱着が容易で、髪係止体によって毛髪を確実に保持固定できるのでヘアクリップの脱落、落下を防止することができる。  
【手続補正５】
【補正対象書類名】明細書
【補正対象項目名】００２３
【補正方法】変更
【補正の内容】
【００２３】
下側挟持舌片の下側挟持部先端を幅方向に左右に湾曲させ、先端に突出する突起部によって毛髪を左右上下に髪のかき分けに使用できる。即ち、従来、毛筆のかき分けには櫛もしくは櫛に連設されたブラシの髪かき分け用の棒部を別に使用して毛髪のかき分けを行わなくてはならなかったが、ヘアクリップ装着前に毛髪内で装着位置の微調整をヘアクリップの突起部を使用して毛髪のかき分けによって容易に行うことができる。また、髪係止体を下側挟持部に一体として垂設しているので、これを用いてヘアクリップによる毛髪固定の前の髪梳き作業が行うことができる。
【手続補正６】
【補正対象書類名】明細書
【補正対象項目名】００２４
【補正方法】変更
【補正の内容】
【００２４】
さらに、髪係止体が下側挟持部先端の突起部より徐々に末端側へその高さを変動させているため、毛髪が上側操作端部と下側操作端部の軸支される部分に巻き込まれ、毛髪が絡むことを防止することができる。加えて、髪係止体と上側挟持部とがシザーケース等の作業ギア格納かばん内の壁、ケース内等を挟持することによりヘアスタイリストが容易にヘアクリップを脱着することができる。また、複数の穏やかに上下に変化する変曲点を有する髪係止体の高さが変動していく構造のため、髪係止体を容易に洗浄することができ、清潔なヘアクリップを顧客に提供することができる。
【手続補正７】
【補正対象書類名】明細書
【補正対象項目名】００３５
【補正方法】変更
【補正の内容】
【００３５】
また、図５の本実施の第１形態に係るヘアクリップを開いた状態を表す概略側面図に示すように、下側挟持部１２ａの先端部分から下側挟持部１２ａの中央部分に架けて、髪係止体３０が配置される。そして、下側挟持部１２ａの先端部分には、髪係止体３０と一体に突起部１７が形成されている。この突起部１７は、図２に示すように上側挟持舌片１１、下側挟持舌片１２の先端が閉じた状態で、上側挟持部１１ａの先端部分に覆われ、この図２の概略側面図に示すように側面外部からは視認できない。図４に示す上側挟持部１１ａの先端部分は、下側挟持部１２ａの突起部１７の全部または一部を覆うように形成されている。
【手続補正８】
【補正対象書類名】明細書
【補正対象項目名】００３６
【補正方法】変更
【補正の内容】
【００３６】
図６（ａ）は、本発明の第１の実施形態のへアクリップの概略平面図で、髪係止体３０は、上側挟持部１１ａの開口１４より突出している。図７は、本発明の第１形態のへアクリップの概略底面図で、上側挟持部１１ａの先端部分が下側挟持部１２ａの突起部１７より長手方向に延び、図２に示すように突起部１７は、上側挟持舌片１１、下側挟持舌片１２の先端が閉じた状態で、上側挟持部１１ａの先端部分に覆われている。
【手続補正９】
【補正対象書類名】明細書
【補正対象項目名】００４１
【補正方法】変更
【補正の内容】
【００４１】
図５に示すように下側挟持部１２ａには、開口１４から突出するように幅方向の中央部の窪み２２から垂設して髪係止体３０が長手方向に連続して形成されている。この髪係止体３０は、本実施形態では下側挟持部１２ａと一体に形成されているが、髪係止体３０を別に製作して下側挟持部１２ａに植立させてもよい。髪係止体３０は、図１、図２、図５に示すように連続した波状の形状で、この実施態様では、下側挟持部１２ａから１０ｍｍほどの高さに設定され、下側挟持部１２ａ先端部分の突起部１７から一体に垂設されている。髪係止体３０は、突起部から立ち上がり、末端方向に連続して形成され、その後徐々にその高さを低下させている。髪係止体３０の各変曲点（高さが高まる方向から低くなる方向またはその逆）は角が取れた円弧状、丸状に穏やかに変化するように形成され、上側から下側に下降し、下側から上側に上昇するように変化する変曲点に間隙が形成されている。
【手続補正１０】
【補正対象書類名】明細書
【補正対象項目名】００４３
【補正方法】変更
【補正の内容】
【００４３】
下側挟持部１２ａの先端部分に形成される突起部１７は、図７に示すヘアクリップの底面図のように幅方向左右に湾曲する湾曲面１７ａ、１７ｂを有する。この実施形態では、下側挟持部１２ａに垂設される髪係止体３０は、図５に示すように突起部１７に一体に形成されている。髪係止体３０は、突起部から立ち上がり、末端方向に連続して垂設されている。
【手続補正１１】
【補正対象書類名】明細書
【補正対象項目名】００４４
【補正方法】変更
【補正の内容】
【００４４】
図９は、上下側挟持部１１ａ、１２ａの先端部分の概略側面部分断面図である。より正確に言うと、図６（ａ）を矢印Ｂの面で切って矢印方向に見る際、上側挟持部１１ａ先端部分および下側挟持部１２ａの突起部１７周囲を断面とする概略側面部分断面図である。髪係止体３０の先端部分は、先端突起部分３０ａを形成しており、この先端突起部分３０ａは、下側挟持部１２ａの突起部１７と一体となって、突起部１７の先端から立ち上がっている。突起部１７の全部または一部は、上側挟持部１１ａの先端部分に覆われ、上側挟持部１１ａ先端部分の裏面と突起部１７の表面、上側挟持部１１ａ先端部分の裏面と髪係止体３０の先端突起部分３０ａが接している。
【手続補正１２】
【補正対象書類名】明細書
【補正対象項目名】００４６
【補正方法】変更
【補正の内容】
【００４６】
図１１（ａ）は、図９に示す下側挟持部１２ａの先端部分の平面図であり、下側挟持部１２ａの先端部分に形成される突起部１７と髪係止体３０の先端突起部分３０ａとは、一体として形成されている。突起部１７は、幅方向左右に湾曲する湾曲面１７ａ、１７ｂを有している。破線は、上側挟持部１１ａが下側挟持部１２ａを覆った場合の上側挟持部１１ａと下側挟持部１２ａの長さ関係を示すために仮想的に記載されたもので、上側挟持部１２ａの先端部分を表すものである。上側挟持部１２ａの先端部分は、突起部１７および先端突起部分３０ａを覆うため、長く伸びて形成されている。
なお、図１１（ａ）ではＤ１−Ｄ１線が、図９のＣ１−Ｃ１線の位置に相当し、図１１（ａ）のＤ２−Ｄ２線は、図９のＣ２−Ｃ２線に相当する。
【手続補正１３】
【補正対象書類名】明細書
【補正対象項目名】００５６
【補正方法】変更
【補正の内容】
【００５６】
図１１（ｂ）は、下側挟持部の突起部の形状をより鋭利とした本発明の他の実施形態を説明するものであり、突起部１７１全体が図１１（ａ）と同様に上側挟持部で覆われる。すなわち、湾曲部１７１ａ、１７１ｂが図１１（ａ）の湾曲部１７ａ、１７ｂより長手方向下側操作端１２ｂ側に形成されており、突起部の先端が鋭利な形状となっている。このため、突起部の先端で毛髪をかき分けることがより容易となる。破線は、上側挟持部１１ａが下側挟持部１２ａを覆った場合の上側挟持部１１ａと下側挟持部１２ａの長さ関係を示すために仮想的に描かれたもので、上側挟持部１２ａの先端部分を表すものである。   
【手続補正１４】
【補正対象書類名】明細書
【補正対象項目名】００５７
【補正方法】変更
【補正の内容】
【００５７】
図１４（ａ）は、本発明のへアクリップの突起部のさらに他の実施形態を説明する概略断面図で、突起部１７２がその先端１７２ｄを上側挟持部１１ａの先端より外部へ突出させた形態で構成されている。図１４（ｂ）は、この本発明のへアクリップの突起部のさらに他の実施形態を説明する概略平面図で、この突起部１７２を有する下側挟持部１２ａの平面図である。湾曲部１７２ａ、１７２ｂから先端１７２ｄが上側挟持部１１ａの先端より外部へ突出している。この実施態様では、毛髪のかき分けをさらに容易に行うことができ、また、図９の実施態様と同様に下側挟持舌片１２を顧客の毛髪の所望の位置に挿入する際、髪係止体の先端突起部分３０ａ、突起部１７２の幅方向に左右に湾曲して形成された湾曲部１７２ａ、１７２ｂが毛髪を先端突起、湾曲面に沿って分離、梳き、かき分けることができるので、毛髪を絡むこと、引っ張ることなく円滑に毛髪をかき分け、ヘアクリップを挿入することができる。破線は、上側挟持部１１ａが下側挟持部１２ａを覆った場合の上側挟持部１１ａと下側挟持部１２ａの長さ関係を示すために、仮想的に描かれたもので上側挟持部１２ａの先端部分を表すものである。